(57)【要約】【課題】レンジ切り替え時の表示方法を演出可能としたインジケータ装置を提供する。【解決手段】インジケータ装置２は、複数のシフト位置Ｘｐに操作されるシフト操作部３の位置を検出する位置検出部１０と、シフト位置Ｘｐの表示パターンを制御する表示制御部１１とを備える。シフト操作部３が、シフト位置Ｘｐ同士の中間位置をとる場合、表示制御部１１は、インジケータの各シフト位置Ｘｐに対応する光源の光量を位置検出部１０の検出結果を基に調整することにより表示パターンを制御する。【選択図】図２
2019206294.tif 000002
【特許請求の範囲】
【請求項１】
変速機のレンジを切り替えるために設定された複数のシフト位置に操作されるシフト操作部と、
前記シフト位置と、隣同士の前記シフト位置の間の中間位置における前記シフト操作部の位置を検出する位置検出部と、
選択された前記変速機のレンジを表示するインジケータと、
前記位置検出部の検出結果を基に、前記インジケータの表示パターンを制御する表示制御部とを備えることを特徴とするインジケータ装置。
【請求項２】
前記位置検出部は、前記シフト操作部の位置変化に応じて出力値がリニアに変化する
請求項１に記載のインジケータ装置。
【請求項３】
前記インジケータは、前記レンジ毎に設けられた複数の光源を備え、
前記表示制御部は、前記位置検出部で検出された前記シフト操作部の位置に基づき前記光源の輝度を制御する
請求項１又は２に記載のインジケータ装置。
【発明の詳細な説明】
【技術分野】
【０００１】
本発明は、シフト操作部のシフト位置を表示するインジケータ装置に関する。
【背景技術】
【０００２】
従来、車両において走行レンジを切り替える際に操作するシフト装置には、現在選択下にある変速機のレンジを視認させるインジケータ装置を備えるものがある（特許文献１等参照）。
【先行技術文献】
【特許文献】
【０００３】
【特許文献１】特開２０１１−１８５９９５号公報
【発明の概要】
【発明が解決しようとする課題】
【０００４】
ところで、この種のインジケータ装置においては、各走行レンジに対応したシフト位置の間をシフト操作部が移動した場合には、移動後のシフト位置に対応する走行レンジをとるように変速機が作動され、走行レンジに対応する表示マークが点るようにインジケータの表示が切り替えられる。このように、走行レンジの切り替え時に、表示マークの表示が瞬時に切り替わるため、ユーザーに単調な印象を与えており、改善の余地があった。
【０００５】
本発明は、上記課題を解決するためのものであって、その目的は、レンジ切り替え時の表示方法を演出可能としたインジケータ装置を提供することにある。
【課題を解決するための手段】
【０００６】
上記課題を解決するためのインジケータ装置は、変速機のレンジを切り替えるために設定された複数のシフト位置に操作されるシフト操作部と、前記シフト位置と、隣同士の前記シフト位置の間の中間位置における前記シフト操作部の位置を検出する位置検出部と、選択された前記変速機のレンジを表示するインジケータと、前記位置検出部の検出結果を基に、前記インジケータの表示パターンを制御する表示制御部とを備えることを特徴とする。
【０００７】
この構成によれば、位置検出部は、シフト操作部がシフト位置の間の中間位置をとる場合に、シフト操作部の位置を検出することができる。この位置検出部の検出結果を基に、表示制御部は、インジケータの表示パターンを制御するため、レンジ切り替え時の表示方法を演出可能となる。
【０００８】
前記インジケータ装置において、前記位置検出部は、前記シフト操作部の位置変化に応じて出力値がリニアに変化することが好ましい。
この構成によれば、シフト操作部の操作位置と位置検出部の出力とが一義的に決まる。よって、シフト操作部の操作位置に応じたユニークな表示パターンの実現が可能となる。
【０００９】
前記インジケータ装置において、前記インジケータは、前記レンジ毎に設けられた複数の光源を備え、前記表示制御部は、前記位置検出部で検出された前記シフト操作部の位置に基づき前記光源の輝度を制御することが好ましい。
【００１０】
この構成によれば、表示制御部は、複数の光源を用いるとともに、それら光源の輝度をシフト操作部の操作位置に応じて変化させることで多様な表現ができる。これにより、ユーザーに単調な印象を与えるのを抑制できる。
【発明の効果】
【００１１】
本発明のインジケータ装置によれば、レンジ切り替え時の表示方法を演出可能となる。
【図面の簡単な説明】
【００１２】
【図１】シフト装置の斜視図。
【図２】シフト操作部の側面図。
【図３】シフト操作部の位置と位置検出部の出力の関係を示すグラフ。
【図４】インジケータ装置の構成を示すブロック図。
【図５】シフト操作部の位置と各表示マークの輝度の関係を示すグラフ。
【発明を実施するための形態】
【００１３】
本発明の一実施形態であるインジケータ装置を、図１〜５に従って説明する。
図１に示すように、車両用のシフト装置１は、シフト操作部３によって選択された走行レンジを表示するインジケータ装置２を備える。インジケータ装置２は、シフト装置１と一体に組み付けられ、ユニット化されている。シフト操作部３は、ユーザーが車両の走行レンジを切り替える際に操作するものであり、ハウジング４に作動可能に組み付けられている。
【００１４】
インジケータ装置２は、変速機としてのトランスミッション１３によって現在選択下にある走行レンジを表示するインジケータ５を備える。インジケータ５は、シフト装置１のハウジング４に組み付けられ、現在選択下の走行レンジを視認させる。インジケータ５は、各走行レンジに対応した表示マーク７を備えている。本例では、「パーキング位置（Ｐ）」、「リバース位置（Ｒ）」、「ニュートラル位置（Ｎ）」、「ドライブ位置（Ｄ）」に対応した表示マーク７を備える。インジケータ５は、各表示マーク７を裏面から照射する任意の輝度で点灯可能な光源７ａを備えている。
【００１５】
インジケータ装置２は、インジケータ装置２の作動を制御するコントローラ６を備える。コントローラ６は、光源７ａをＰＷＭ（Ｐｕｌｓｅ  Ｗｉｄｔｈ  Ｍｏｄｕｌａｔｉｏｎ）制御することにより、発光素子に印加される電圧又は電流（平均電圧又は平均電流）を調節して、任意の輝度で発光させる。このように、コントローラ６は、各表示マーク７の輝度を調節可能になっている。
【００１６】
図２に示すように、シフト操作部３は、レバー状に延びる操作レバー８に設けられた軸部９の中心Ｏ回りに回動操作（揺動操作）されることにより、走行レンジを切り替える。操作レバー８が回動操作されると軸部９も一体に回動する。シフト操作部３は、軸回りに配列された複数のシフト位置Ｘｐを備える。本例では、各走行レンジに対応したＰ位置Ｐｐ、Ｒ位置Ｒｐ、Ｎ位置Ｎｐ、Ｄ位置Ｄｐを備える。シフト位置Ｘｐは、シフト操作部３の可動域において、それぞれ規定の範囲に形成されている（図２では一点だけを図示）。
【００１７】
なお、シフト装置１は、シフト操作部３をシフト位置Ｘｐの各位置に切り替える際にシフト操作部３に節度感を付与する節度機構（図示略）を備えることが好ましい。この節度機構は、非操作時にシフト操作部３を起立させるように保持する役目も担う。そして、シフト操作部３をシフト操作した場合には、節度機構の節度よりも大きな操作荷重をかけることでシフト操作が可能であり、このときの節度機構による反力がシフト操作部３に節度として付与される。
【００１８】
インジケータ装置２は、シフト操作部３の位置を検出する位置検出部１０を備えている。例えば、位置検出部１０は、軸部９の回転角度を検知する角度センサが適用されている。位置検出部１０（角度センサ）は、シフト操作部３の回転角度に応じた位置を検出して出力する。
【００１９】
図３に示すように、位置検出部１０は、シフト操作部３の位置変化に応じて出力値がリニアに変化する。よって、位置検出部１０の出力（検出信号Ｓｄ）は、シフト操作部３の位置と相関して変化する。本例では、位置検出部１０は、シフト操作部３のＰ位置Ｐｐからの位置が離れるのに従って、出力（検出信号Ｓｄ）が増加する。このように、位置検出部１０は、シフト操作部３の可動域の全体（Ｐ位置Ｐｐ〜Ｄ位置Ｄｐ）にわたって、出力値がリニアに変化する。
【００２０】
図４に示すように、コントローラ６は、位置検出部１０に電気的に接続されている。コントローラ６は、位置検出部１０の検出結果（検出信号Ｓｄ）を基にインジケータ５（光源７ａ）を制御する表示制御部１１を備える。表示制御部１１は、インジケータ５の光源７ａの光量を位置検出部１０の検出結果を基に調整することにより、インジケータ５の表示パターンを制御する。
【００２１】
コントローラ６は、入出力の回転数を可変するトランスミッション１３の制御を実行するシフト制御部１２を備える。シフト制御部１２は、トランスミッション１３の切り替えを実行するための条件（例えば、ブレーキペダルが踏まれている等）が成立していることを前提に、位置検出部１０の検出信号Ｓｄに基づき、トランスミッション１３の走行レンジを切り替える。
【００２２】
本例では、シフト操作部３がＰ位置Ｐｐ、Ｒ位置Ｒｐ、Ｎ位置Ｎｐ、及びＤ位置Ｄｐに位置するときの位置検出部１０の検出信号Ｓｄの出力範囲を、それぞれＰ出力範囲、Ｒ出力範囲、Ｎ出力範囲、及びＤ出力範囲とする（図３参照）。シフト制御部１２は、位置検出部１０の検出信号Ｓｄが各出力範囲内の値である場合に、シフト操作部３がシフト位置Ｘｐに位置することを認識する。シフト制御部１２は、認識したシフト位置Ｘｐをとるようにトランスミッション１３を制御する。例えば、シフト制御部１２は、Ｐ出力範囲内の値の検出信号Ｓｄを入力すると、シフト操作部３がＰ位置Ｐｐに位置することを認識する。そして、シフト制御部１２は、パーク位置をとるようにトランスミッション１３を制御する。このように、インジケータ装置２の位置検出部１０は、所謂シフトバイワイヤ方式の構成において、トランスミッション１３を制御するに際してのシフト操作部３のシフト位置Ｘｐの検出機構にも利用されている。
【００２３】
トランスミッション１３は、クラッチ切り替え（変速比切り替え）を行った場合、クラッチ切り替え後（変速比切り替え後）の位置を示すフィードバック信号Ｓｆｂを出力する。表示制御部１１は、フィードバック信号Ｓｆｂを入力し、このフィードバック信号Ｓｆｂを用いてインジケータ５の表示パターンを制御する。
【００２４】
次に、図５を用いて、インジケータ装置２（表示制御部１１）の作用及び効果を説明する。ここでは、隣同士のシフト位置Ｘｐ間の中間位置とは、隣同士のシフト位置Ｘｐの間の全範囲とする。また、各中間位置の中央の位置を中央位置Ｍとする。Ｐ位置ＰｐとＲ位置Ｒｐとの間の中間位置の中央位置をＰＲ中央位置Ｍｐｒ、Ｒ位置ＲｐとＮ位置Ｎｐとの間の中間位置の中央位置をＲＮ中央位置Ｍｒｎ、Ｎ位置ＮｐとＤ位置Ｄｐとの間の中間位置の中央位置をＮＤ中央位置Ｍｎｄとする。
【００２５】
表示制御部１１は、シフト操作部３の操作位置を検出する位置検出部１０から、シフト操作部３の操作に応じてリニアに変化する検出信号Ｓｄを入力するので、この検出信号Ｓｄから、シフト操作部３がＰｐ、Ｍｐｒ、Ｒｐ、Ｍｒｎ、Ｎｐ、Ｍｎｄ、Ｄｐの各位置に到達した場合に、これを認識することができる。
【００２６】
図５に示すように、表示制御部１１は、シフト操作部３がシフト位置Ｘｐ間を移動するとき、トランスミッション１３の走行レンジが確定するまでの間、シフト操作部３の位置に応じて光源７ａの輝度を変化させる。表示制御部１１は、シフト操作部３がシフト位置Ｘｐにあり、トランスミッション１３の走行レンジが確定している場合、それに対応する光源７ａの輝度を最大（全点灯）にする。例えば、シフト操作部３がＰ位置Ｐｐにあり、トランスミッション１３がパーキング位置にある場合、「Ｐ」に対応する光源７ａ（表示マーク７）が全点灯（図５のＨｉｇｈ）となり、他の光源７ａ（表示マーク７）は消灯（図５のＬｏｗ）となっている。
【００２７】
シフト操作部３をＰ位置ＰｐからＲ位置Ｒｐへ移動させるときを考える。シフト操作部３がＰ位置ＰｐとＲ位置Ｒｐとの間の中間位置においてＰ位置ＰｐとＰＲ中央位置Ｍｐｒとの間にある場合、表示制御部１１は、検出信号Ｓｄから求まるシフト位置がＭｐｒ側に変化するに従って、「Ｐ」の光源７ａ（表示マーク７）の輝度を低下させる。表示制御部１１は、「Ｐ」の光源７ａ（表示マーク７）の輝度をシフト操作部３がＰＲ中央位置Ｍｐｒをとるまで低下させ続け、ＰＲ中央位置Ｍｐｒで輝度がゼロ、すなわち消灯状態とする。シフト操作部３がＰＲ中央位置Ｍｐｒをとる場合、全ての表示マーク７が消灯状態となっている。
【００２８】
さらにシフト操作部３をＲ位置Ｒｐ方向へ移動させ、シフト操作部３がＰ位置ＰｐとＲ位置Ｒｐとの間の中間位置においてＰＲ中央位置ＭｐｒとＲ位置Ｒｐとの間にある場合、表示制御部１１は、検出信号Ｓｄから求まるシフト位置がＲｐ側に変化するに従って、「Ｒ」の光源７ａ（表示マーク７）の輝度を増加させる。表示制御部１１は、シフト操作部３がＲ位置Ｒｐに到達するまで、「Ｒ」の光源７ａ（表示マーク７）の輝度を増加させる。
【００２９】
シフト操作部３がＲ位置Ｒｐに到達すると、位置検出部１０の検出信号Ｓｄの出力値がＲ出力範囲内となったことを基に、シフト制御部１２は、シフト操作部３がＲ位置Ｒｐまで移動したことを認識する。そして、シフト制御部１２は、トランスミッション１３に「パーキング位置（Ｐ）」から「リバース位置（Ｒ）」へのクラッチ切り替えを実行させる。トランスミッション１３は、「Ｒ」へのクラッチ切り替え後、走行レンジが「Ｒ」となった旨のフィードバック信号Ｓｆｂを出力する。表示制御部１１は、フィードバック信号Ｓｆｂの入力により、「Ｒ」の表示マーク７を全点灯とする。この場合、フィードバック信号Ｓｆｂの入力があるまでは、「Ｒ」の表示マーク７は、全点灯よりも輝度の低い状態をとる。このように、シフト操作部３がＲ位置Ｒｐにある場合、「Ｒ」の表示マーク７が全点灯となり、他の表示マーク７は消灯となっている。
【００３０】
ここでは、シフト操作部３がＰ位置ＰｐからＲ位置Ｒｐへ操作された場合を説明したが、インジケータ装置２（表示制御部１１）は、Ｐｐ→Ｒｐ、Ｒｐ→Ｎｐ、Ｎｐ→Ｄｐ及びこれらの逆方向への操作時に、上記と同様の作用をする。
【００３１】
このように、本例では、シフト位置Ｘｐの間の中間位置におけるシフト操作部３の位置を検出する位置検出部１０と、位置検出部１０の検出結果（検出信号Ｓｄ）を基に調整することにより、インジケータ５の表示パターンを制御する表示制御部１１とを備えた。この構成によれば、位置検出部１０は、シフト操作部３が中間位置をとる場合に、シフト操作部３の位置を検出する。そして、この位置検出部１０の検出信号Ｓｄを基に、表示制御部１１は、インジケータ５の表示パターンを制御する。よって、表示制御部１１は、シフト操作部３が中間位置をとる場合に、その位置に応じた表示パターンでインジケータ５を表示させることが可能となり、それだけ、レンジ切り替え時の表示方法を演出可能となる。
【００３２】
また、本例において、位置検出部１０は、シフト操作部３の位置変化に応じて出力値がリニアに変化する。この構成によれば、シフト操作部３の操作位置と位置検出部１０の検出信号Ｓｄとが一義的に決まる。よって、シフト操作部３の操作位置に応じたユニークな表示パターンの実現が可能となる。
【００３３】
また、本例において、インジケータ５は、走行レンジに対応して点灯する複数の光源７ａを備え、表示制御部１１は、シフト操作部３の位置に基づき、光源７ａの輝度を制御する構成とした。この構成によれば、表示制御部１１は、複数の光源７ａを用いるとともに、それら光源７ａの輝度をシフト操作部３の操作位置に応じて変化させることで多様な表現ができる。これにより、ユーザーに単調な印象を与えるのを抑制できる。
【００３４】
また、本例において、トランスミッション１３の制御を実行するシフト制御部１２を備え、シフト制御部１２は、インジケータ５の表示パターン制御に用いられる位置検出部１０の検出結果（検出信号Ｓｄ）に基づき、トランスミッションの制御を実行する。この構成によれば、位置検出部１０の検出信号Ｓｄをトランスミッション１３の制御にも使用することができる。これは、車両において部品点数増加を抑制することに寄与する。
【００３５】
なお、本実施形態は、以下のように変更して実施することができる。本実施形態及び以下の変更例は、技術的に矛盾しない範囲で互いに組み合わせて実施することができる。
・本実施形態において、シフト操作部３がシフト位置Ｘｐから隣のシフト位置Ｘｐに移動したものの、シフト制御部１２がトランスミッション１３の切り替えを実施するための条件を満たさなかったために、走行レンジの切替えが実行されなかった状況において、シフト操作部３が元のシフト位置Ｘｐに戻されたときは、表示制御部１１は、再度元のシフト位置Ｘｐの光源７ａを全点灯させてもよい。例えば、走行レンジが「Ｐ」である状況で、シフト操作部３がＰ位置ＰｐからＲ位置Ｒｐの方向へ移動したものの、走行レンジが「Ｒ」に変更されなかった場合、フィードバック信号Ｓｆｂが入力されないことを基に、表示制御部１１は「Ｒ」の光源７ａを全点灯にしない。そして、この状況下でシフト操作部３がＰ位置Ｐｐに戻された場合は、表示制御部１１は、「Ｐ」の光源７ａを全点灯にする。なお、中間位置においては、シフト操作部３の位置に応じて光源７ａの輝度を制御する。このように、表示制御部１１は、走行レンジが変更になった旨のフィードバック信号Ｓｆｂが入力されたかどうかによって、現在の走行レンジがどこにあるかを認識するとともに、それに合わせて光源７ａを制御してもよい。
【００３６】
・本実施形態において、シフト装置１とインジケータ装置２は、一体に形成されることに限定されず、それぞれ別の部品としてもよい。シフト操作部３、インジケータ５、コントローラ６は一体に形成されていなくてもよい。
【００３７】
・本実施形態において、中間位置での表示パターンは、輝度の増加／低下に限定されない。例えば、表示マーク７を点滅させ、その点滅間隔の速い／遅いを変化させることにより、シフト操作部３の位置を表現してもよい。すなわち、シフト操作部３が中間位置を取る場合に、シフト操作部３の位置に基づいて表示パターンが変化すればよい。
【００３８】
・本実施形態において、インジケータ５の表示パターンを制御するにあたって、シフト操作部３の操作速度に応じて、光源７ａの輝度の変化速度を調整してもよい。例えば、シフト操作部３が速く移動した場合、瞬時に光源７ａの輝度を切り替え（消灯→全点灯など）、遅く移動した場合、輝度を徐々に切り替えるようにしてもよい。
【００３９】
・本実施形態において、シフト制御部１２は、構成要件から省略できる。例えば、シフト装置１は、シフト操作部３とトランスミッション１３とが機械的に接続された構成であってもよい。すなわち、シフト装置１は、シフトバイワイヤ方式に限定されない。
【００４０】
・本実施形態において、シフト制御部１２がトランスミッション１３の切り替えを実施するための条件は、特に限定されない。例えば、パーク位置からリバース位置へ切り替える場合、ブレーキペダルが踏まれていることと、車速が一定値以下であることとが挙げられる。これらは、車両の仕様に応じて適宜変更可能である。
【００４１】
・本実施形態において、位置検出部１０の検出信号Ｓｄの出力は、シフト操作部３の変化に対して値がリニアに変化する関係としたが、リニアに変化するとは、完全な直線関係に限定されない。例えば、出力値が正弦波や二次曲線になるような場合、その近似的に直線として扱える部分を利用してもよい。すなわち、検出信号Ｓｄはシフト操作部３の可動域内での位置変化に対して、一義的に決まる値をとっていればよい。
【００４２】
・本実施形態において、位置検出部１０は、複数のセンサの出力値の組み合わせにより、シフト操作部３の位置を検出してもよい。例えば、ＯＮ／ＯＦＦを出力する複数のセンサを備え、それらセンサのＯＮ／ＯＦＦの組み合わせに基づき、シフト操作部３の位置を検出するのでもよい。
【００４３】
・本実施形態において、位置検出部１０は、シフト操作部３の位置を中間位置において少なくとも一点で検出できればよい。すなわち、位置検出部１０の検出信号Ｓｄは、シフト操作部３の位置に対して連続的に検出しなくてもよい。
【００４４】
・本実施形態において、シフト制御部１２によってシフト操作部３がシフト位置Ｘｐにあることを認識する範囲である出力範囲が規定されているが、これに限定されない。シフト位置Ｘｐの出力範囲の幅は任意に設定可能である。また、シフト位置Ｘｐの出力範囲は設けられなくてもよい。
【００４５】
・本実施形態において、隣同士のシフト位置Ｘｐの間の中間位置を、隣同士のシフト位置Ｘｐの間の全範囲としたが、これに限定されない。隣同士のシフト位置Ｘｐの間であれば、任意の範囲を中間位置としてもよい。
【００４６】
・本実施形態において、表示制御部１１は、トランスミッション１３のフィードバック信号Ｓｆｂを入力したとき、表示マーク７を全点灯とする構成としたが、これに限定されない。レンジの変更が実行されたことをユーザーが認識しやすいように、中間位置をとる場合とは表示を変更すればよい。例えば、表示制御部１１は、フィードバック信号Ｓｆｂの入力に基づき、表示マーク７を点滅させてもよい。
【００４７】
・本実施形態において、表示制御部１１は、トランスミッション１３のフィードバック信号Ｓｆｂの入力に基づきインジケータ５の表示パターンを制御する構成としたが、これに限定されない。表示制御部１１は、位置検出部１０の検出信号Ｓｄのみに基づきインジケータ５の表示パターンを変更してもよい。
【００４８】
・本実施形態において、光源７ａの輝度の変化は、全点灯及び消灯までの間で不連続でもよい。例えば、表示パターンが切り替えられた場合に、全点灯から一段階暗くなったり、消灯から一段階明るくなったりしてもよい。すなわち、シフト操作部３の位置（位置検出部１０の検出信号Ｓｄ）と光源７ａとの輝度との関係が直線的な関係になっていなくてもよい。
【００４９】
・本実施形態において、シフト操作部３がＰＲ中央位置Ｍｐｒにある場合、「Ｐ」及び「Ｒ」の光源７ａの両方が点灯していてもよい。すなわち、「Ｐ」の光源７ａの輝度が低下する範囲と「Ｒ」の光源７ａの輝度が増加する範囲とが重なっていてもよい。
【００５０】
・本実施形態において、インジケータ５において、表示マーク７の輝度の調整方法は、ＰＷＭ制御に限定されない。例えば、ＰＷＭ制御以外のパルス制御を用いてもよいし、パルス制御以外の方法で、印加電圧に応じた輝度をとる発光素子を用いてもよい。
【００５１】
・本実施形態において、シフト操作部３は、操作レバー８が回動操作されるものに限定されない。例えば、スライド動作されるものでも良いし、ダイヤルを回転させる方式のものでもよい。
【００５２】
・本実施形態において、シフト操作部３の位置とは、回転角度に限定されない。たとえば、操作レバーの頭の位置が水平に移動する距離でもよい。
・本実施形態において、位置検出部１０の種類は、特に限定されない。例えば、加速度、磁気、光学、電気接点、カメラなどを用いた種々の検出方法を用いることができる。
【００５３】
・本実施形態において、シフト操作部３は、節度付与機構を備えていなくてもよい。ただし、節度付与機構を備えることで、視覚的に確認することだけでなく、節度感によってもシフト操作部３の位置を認識することができる。
【００５４】
・本実施形態において、インジケータ５は、シフト装置１に一体に形成されるものに限定されない。例えば、インストルメントパネルに形成されたグラフィックメーターでもよい。
【００５５】
・本実施形態において、シフト操作部３は、ステーショナリ式機構に限定されない。例えば、モーメンタリ式機構でもよい。
・本実施形態において、シフト位置Ｘｐ（及び走行レンジ）はＰ，Ｒ，Ｎ，Ｄに限定されない。すなわち、シフト位置Ｘｐは、４位置ストレートタイプに限定されず、例えば３位置や５位置以上としてもよい。また、シフト操作方向もストレートに限定されず、例えばシフト方向及びセレクト方向の両方に変更するシフトパターンとしてもよい。
【符号の説明】
【００５６】
１…シフト装置、２…インジケータ装置、３…シフト操作部、４…ハウジング、５…インジケータ、６…コントローラ、７…表示マーク、７ａ…光源、１０…位置検出部、１１…表示制御部、１２…シフト制御部、１３…トランスミッション、Ｓｄ…検出信号。
【図１】
2019206294.tif 000003
【図２】
2019206294.tif 000004
【図３】
2019206294.tif 000005
【図４】
2019206294.tif 000006
【図５】
2019206294.tif 000007